(57)【要約】センサシステム（１１０）を衣料用品に一体化して使用するためのシステム（１００）及び方法が提供される。システム（１００）は、ユーザに着用されるようにサイズ調整及び採寸された衣料品と、衣料品に一体化されるセンサシステム（１１０）と、を含み得る。センサシステム（１１０）は、衣料品が着用されるときに、ユーザのバイオメトリックパラメータを測定するように、衣料品上に配置される少なくとも１つの伸縮性容量センサと、ユーザの測定されたバイオメトリックパラメータに基づいて、特定の照明エリアに照明を提供するように構成される照明システム（１２０）と、照明システム（１２０）の１つ以上の設定を制御する制御モジュール（１１５、１１）と、を含み得る。
2020534886.tif 000002
【特許請求の範囲】
【請求項１】
システムであって、
ユーザに着用されるようにサイズ調整及び採寸された衣料品と、
前記衣料品と一体化されるセンサシステムと、
を含み、前記センサシステムは、
前記衣料品が着用されるときに、前記ユーザのバイオメトリックパラメータを測定するように、前記衣料品上に配置される少なくとも１つの伸縮性容量センサと、
前記ユーザの前記測定されたバイオメトリックパラメータに基づいて、特定の照明エリアに照明を提供するように構成される照明システムと、
前記照明システムの１つ以上の設定を制御する制御モジュールと、
を含むシステム。
【請求項２】
前記少なくとも１つの伸縮性容量センサは、前記ユーザに前記衣料品が着用されるときに右三角筋に近接して配置される１つ以上のセンサと、前記ユーザに前記衣料品が着用されるときに左三角筋に近接して配置される１つ以上のセンサと、を含み、前記少なくとも１つの伸縮性容量センサは、前記ユーザの腕の振りを感知して前記ユーザのペースを感知するように構成される、
請求項１に記載のシステム。
【請求項３】
前記少なくとも１つの伸縮性容量センサは、前記ユーザに前記衣料品が着用されるときに右脚の少なくとも一部分に近接して配置される１つ以上のセンサと、前記ユーザに前記衣料品が着用されるときに左脚に近接して配置される１つ以上のセンサと、を含み、前記少なくとも１つの伸縮性容量センサは、前記ユーザの脚の振りを感知して前記ユーザのペースを決定するように構成される、
請求項１に記載のシステム。
【請求項４】
前記照明システムは、前記ユーザの前記測定されたバイオメトリックパラメータに基づいて設定された脈動周波数を用いてパルス照明を提供するように構成される、
請求項１に記載のシステム。
【請求項５】
前記センサシステムは、前記照明システムの１つ以上の設定を指定する前記ユーザからの入力を受け取るように構成される時間／強度センサを含む、
請求項１に記載のシステム。
【請求項６】
前記センサシステムは、前記センサシステムの１つ以上の作動モードを指定する前記ユーザからの入力を受け取るように構成されるモードセンサを含む、
請求項１に記載のシステム。
【請求項７】
前記モードセンサは、連続モード構成要素及びペースモード構成要素を含み、各々がそれぞれの入力部を有する、
請求項６に記載のシステム。
【請求項８】
前記照明システムは、複数のＬＥＤモジュールを含む、
請求項１に記載のシステム。
【請求項９】
前記制御モジュールは、前記照明システムの強度を調整するための強度変更器と、前記照明システムの脈動周波数を調整するための周波数変更器と、を含む、
請求項１に記載のシステム。
【請求項１０】
前記制御モジュールは、前記センサシステムから切り離し可能であり、かつ前記衣料品から取外し可能であるように構成される、
請求項１に記載のシステム。
【請求項１１】
前記制御モジュールは、その中に電子部品を収納する密閉式外側シェルを含む、
請求項１に記載のシステム。
【請求項１２】
前記照明システムは、選択された作動モードに基づいて、目標とする制御可能な照明エリアを提供するように構成される、
請求項１に記載のシステム。
【請求項１３】
前記照明システムは、前記特定の照明エリアを調整するために移動可能である、
請求項１に記載のシステム。
【請求項１４】
前記少なくとも１つの伸縮性容量センサは、前記ユーザのバイオメトリック動作のタイプに基づいて歪みを検出するように構成される、
請求項１に記載のシステム。
【請求項１５】
前記制御モジュールは、コンピューティングデバイスに接続し、かつその間でデータを伝送するように構成される、
請求項１に記載のシステム。
【請求項１６】
ユーザが運動活動を行うときに、衣類から照明を提供する方法であって、当該方法は、
前記衣類上に位置するセンサから歪みを感知するステップと、
前記感知された歪みに基づいて、前記ユーザのバイオメトリックパラメータを決定するステップと、
前記決定されたバイオメトリックパラメータに基づいて、特定の照明エリアを照明システムに照明させるステップと、
を含む、方法。
【請求項１７】
前記決定されたバイオメトリックパラメータは、前記ユーザのペースであり、当該方法は、前記ユーザの前記ペースに基づいて次のフットストライクのサイドを決定するステップを更に含み、前記特定の照明エリアは、前記次のフットストライクの前記決定されたサイドに対応する、
請求項１６に記載の方法。
【請求項１８】
１つ以上のユーザ入力に従って前記照明システムによる照明の継続時間を調整するステップを更に含む、
請求項１６に記載の方法。
【請求項１９】
１つ以上のユーザ入力に従って前記照明システムによる照明の強度を調整するステップを更に含む、
請求項１６に記載の方法。
【請求項２０】
１つ以上のユーザ入力に従って一定の照明を提供するように前記照明システムを調整する、
請求項１６に記載の方法。
【発明の詳細な説明】
【背景技術】
【０００１】
［関連出願の相互参照］
本出願は、２０１７年８月３１日出願の「ＳＥＮＳＥ−ＥＮＡＢＬＥＤ  ＡＰＰＡＲＥＬ」と題する米国特許仮出願第６２／５５２，７５６号及び２０１８年８月３０日出願の「ＳＥＮＳＥ−ＥＮＡＢＬＥＤ  ＡＰＰＡＲＥＬ」と題する米国特許出願第１６／１１７，５６６号の優先権の利益を主張する。前述の出願の内容は、参照によってその全体が本明細書に組み込まれる。
【０００２】
［背景技術］
センサシステムを内蔵する衣料用品又は履物用品は、公知である。センサシステムは、動作を追跡し得、パフォーマンスデータを感知、測定及び／又は収集し得る。そのようなシステムは、感知した情報に基づいて、向上されたトレーニング経験を提供し得る。公知のセンサ一体型衣類デザインは、しばしば、衣料の重さ、柔らかさ及び／又は柔軟性に対して大きな影響を有し、かつ／又はしばしば衣料を洗濯するために若干の分解を必要とする。
【発明の概要】
【発明が解決しようとする課題】
【０００３】
したがって、当技術におけるこれらの及び他の欠点に対処する、改善されたシステム及び方法が望まれる。
【課題を解決するための手段】
【０００４】
以下は、本開示のいくつかの態様について基本的理解を提供するために、簡略化された要約を提示する。この要約は、本開示の広汎な概要ではない。以下の要約は、下記の説明の前置きとして、単に本開示のいくつかの概念を簡略化した形式で提示するものにすぎない。
【０００５】
本開示の態様は、着用者のバイオメトリック情報を感知するように構成されたセンサ一体型衣料システムに関する。例示的実施形態は、センサ一体型衣類及び／又はその使用を含むシステム、方法、装置に関し得る。特定の実装は、ユーザによって着用されるようにサイズ調整及び採寸された衣類と、衣類に一体化されるセンサシステムと、を含み得る。センサシステムは、少なくとも１つの伸縮性容量織物センサ、制御モジュール及び照明システムを含む。少なくとも１つの伸縮性容量センサは、衣類が着用されるときに、ユーザの少なくとも１つのバイオメトリックパラメータを測定するように、衣類上に一体化される。照明システムは、少なくとも１つの発光ダイオード（ＬＥＤ）モジュールを含み、指定エリアに照明を提供するように構成される。制御モジュールは、容量センサ及び照明システムを制御し、それらに動作可能に接続するように構成される。
【０００６】
いくつかの実施形態では、衣類はシャツ又はジャケットであってよく、少なくとも１つの容量センサは一対のセンサを含み得る。各センサは、ユーザの左右三角筋に対応するように配置されてよく、ユーザの腕の振りを感知するように構成され得る。各三角筋センサは、ユーザの腕の振りを示す歪みを感知するように構成され得る。いくつかの実施形態では、衣類は１着のズボン又は半ズボンであってよく、少なくとも１つの容量センサはユーザの左右の足首、膝、大腿等に対応するように配置され、ユーザのペース又は脚の振りを感知するように構成され得る。
【０００７】
照明システムは、制御モジュールからの１つ以上の設定に基づいて、照明の強度及び／又は継続時間を調整するように構成され得る。制御モジュールはまた、例えば照明システムの設定を指定するユーザ入力を受け取るように構成される時間／強度センサ及び／又は照明システムの作動モードを特定するユーザ入力を受け取り、照明システムをパワーオン／オフするように構成されるモードセンサを含む、追加センサに動作可能に接続され得る。時間／強度センサ及びモードセンサは、ユーザが入力を提供するためのアクセスの容易性を提供するよう、衣類の特定の位置に配置され得る。制御モジュールは、衣類が着用されるとき及び／又は活動を行っているときに、ユーザを妨害しないように、衣類の特定の位置上に配置され得る。モードセンサは、連続モード及びペースモードに対応する入力セレクタを含み得る。時間／強度センサは、照明システムの強度を調整し、かつ照明システムの脈動周波数を調整するように構成される入力セレクタを含み得る。
【０００８】
制御モジュールは、センサシステムから切り離し可能であり、かつ衣類から取外し可能であるように構成され得る。制御モジュールは、その中に電子部品及び他の構成要素を収納する密閉式外側シェルを含み得る。密閉式外側シェルは、衣類に固着されるときに、制御モジュールの位置に従ってユーザの一部分の輪郭を示すように形作られ得る。制御モジュールは、バッテリ及びプリント回路基板アセンブリを含み得る。制御モジュールは、バッテリの分解又は取外しなしで、バッテリの充電を可能にするように構成され得る。制御モジュールは、衣類から取外し可能であり、かつその間のデータの伝送のためにコンピューティングデバイスに接続可能であるように構成され得る。
【０００９】
照明システムは、選択された作動モードに基づいて、目標とする及び／又は制御可能な照明エリアを有するように構成され得る。照明システムは、照明エリアを調整するように構成された制御可能な指向性構成要素を含み得る。照明システムは、インボードＬＥＤモジュール及びアウトボードＬＥＤモジュールを含み得る。撚り線ワイヤーの電機子又はスパイン（ｓｐｉｎｅ）は、インボード及びアウトボードＬＥＤモジュールに接続し得る。フレキシブルプリント回路基板は、インボード及びアウトボードＬＥＤモジュールを電気的に接続し得、照明システムをセンサシステム及び／又は制御モジュールに接続し得る。照明システムは、その中に種々な構成要素を収容するケーシングを含み得る。例えば水密シールを形成する透明なゴムケーシングが提供され得る。照明システム中のＬＥＤモジュールの部分は、照明エリアを調整するために屈曲可能又は移動可能であってよい。
【００１０】
センサシステム、照明システム及び制御モジュールは、衣類のシームに沿った経路の配線によって衣類中で相互接続され得る。いくつかの実施形態では、配線は、可撓性で薄く金属被覆された糸（ｔｈｒｅａｄ）で構成され得る。いくつかの実施形態では、配線は、衣類に無線周波数（ＲＦ）接合又は熱接合される、導電性インクトレース付きの熱可塑性ウレタンフィルムを含むテープで構成され得る。
【００１１】
いくつかの実施形態では、ユーザが運動活動を行うときに、衣類から照明を提供する方法が提供されている。本方法は、衣類上に位置する１つ以上のセンサから歪みを感知するステップと、感知された歪みに基づいてユーザのペース又は予測される次の動作を決定するステップと、決定されたペース又は予測される次の動作に基づいて、ユーザの経路の一部分を、衣類の照明システムに照明させるステップと、を含み得る。本方法は、決定されたペースに基づいて次のフットストライク（ｆｏｏｔｓｔｒｉｋｅ）のサイド（ｓｉｄｅ）又はエリアを決定するステップを更に含み得る。次いで、照明システムに照明させるステップは、次のフットストライクの決定されたサイドに対応するユーザの経路エリアを照明するステップを含み得る。本方法は、ユーザ提供された入力に応答して、ユーザの経路を照明する継続時間を調整するステップを更に含み得る。本方法は、ユーザ提供された入力に応答して、一定の照明を提供するように照明システムを調整するステップを更に含み得る。
【００１２】
実施形態のこれら及び他の態様は、添付図面を含む本開示を通して詳細に論じられる。
【図面の簡単な説明】
【００１３】
本開示は、例として図示されるが、添付図面に制限されない。図面では、同じ参照符号は同じ要素を示す。
【００１４】
【図１Ａ】例示的実施形態による例示的センサ一体型衣料システムを示す図であり、図１Ａは、正面図である。
【図１Ｂ】例示的実施形態による例示的センサ一体型衣料システムを示す図であり、図１Ｂは、背面図である。
【００１５】
【図２】図１Ａ及び図１Ｂのセンサ一体型衣料システムの照明システムを示す図である。
【００１６】
【図３】図１Ａ及び図１Ｂのセンサ一体型衣料システムのモードセンサを示す図であ。
【００１７】
【図４】図１Ａ及び図１Ｂのセンサ一体型衣料システムの時間／強度センサを示す図である。
【００１８】
【図５】図１Ａ及び図１Ｂのセンサ一体型衣料システムの制御モジュールを示す図である。
【００１９】
【図６Ａ】例示的実施形態による別の例示的センサ一体型衣料システムを示す図であり、図６Ａは、正面図である。
【図６Ｂ】例示的実施形態による別の例示的センサ一体型衣料システムを示す図であり、図６Ｂは、背面図である。
【００２０】
【図７】例示的実施形態によるセンサ一体型衣料システムの一部分の近接図を図示する。
【発明を実施するための形態】
【００２１】
様々な実施形態の以下の説明において、本明細書の一部をなす添付図面が参照される。この添付図面においては、図解によって、本開示が実施され得る様々な実施形態が示される。本開示の適用範囲及び精神から逸脱せずに、他の実施形態が利用されてよく、構造的及び機能的修正が行われてよいことが理解されよう。さらに、本開示内の表題は、本開示の態様を制限するものとみなされるべきではない。本開示の利益を受ける当業者であれば、例示的実施形態が例示的表題に限定されないことを理解するであろう。
【００２２】
図１Ａ及び図１Ｂは、例示的実施形態によるセンサ一体型衣料システム１００の例を図示する。例示的システム１００は、ユーザに着用されるようにサイズ調整及び設計された衣類１０２のような１つ以上の衣料品を含み得る。衣類１０２は、長袖、半袖、タンクトップ又はベスト等のシャツを含み得る。他の実施形態では、衣類１０２は、１着のズボン、ソックス、履物、ボディスーツ、上着及び／又は任意の他の所望のタイプの衣料を含み得る。特定の構成では衣類１０２は、典型的に衣料に使用され、かつ／又は運動活動中に装着される、木綿、ナイロン、ポリエステル、スパンデックス又は他のタイプの織物で構成され得る。異なるクラスの衣料が利用され得、ここで所与のクラスの衣料は、適切に装着されるときにユーザの身体の特定の部分に近接して位置するように構成される特定のセンサを有する。例えばゴルフ服は、第１構成で衣料上に配置される１つ以上のセンサを含み得るが、サッカー服は、第２構成で衣料上に配置される１つ以上のセンサを含み得る。当業者であれば、他の構成が可能であることを理解するであろう。
【００２３】
システム１００は、衣類１０２に一体化され、かつ特に着用者のバイオメトリック情報を感知するように構成される、センサシステム１１０を有するように構成され得る。センサシステム１１０は、ユーザから運動動作を感知、検出及び／又は測定するように構成される１つ以上のセンサを含み得る。センサシステム１１０は、少なくとも１つの伸縮性容量センサ（例えばセンサ１１１ａ及び１１１ｂ）、制御モジュール１１５及び照明システム１２０を含み得る。特定の実施形態では、センサシステム１１０は、衣類１０２に一体化されてよく、衣類１０２は、運動着等の任意のタイプの衣料であり得る。センサシステム１１０は、衣類１０２に組み込まれるか、かつ／又は着用者の身体部分に対応する衣類１０２の任意の所望の位置に配置されてよい。センサシステム１１０の部品は、、少なくとも１つの伸縮性容量ファブリックセンサ、制御モジュール１１５及び／又は照明システム１２０との通信を含め、相互に（例えば衣服用品中の可撓性配線を介して又は無線で）通信してよい。衣類システムの例は、すぐ下で説明されるが、ただし、これらは単に例示的実施形態にすぎず、本開示は、それらに限定されるものではない。
【００２４】
図１Ａ及び図１Ｂの照明システム１２０は、衣類１０２の前側のそれぞれの側面上に一対のＬＥＤモジュール１２１ａ及び１２１ｂを含み、ＬＥＤモジュール１２１ａ及び１２１ｂは、指定エリアに照明を提供するように構成されてよい。制御モジュール１１５は、容量センサ及び照明システム１２０を制御し、かつそれらに作動可能に接続するように構成され得る。図１Ａ及び図１Ｂで図示された構成要素に加えて、センサシステム１１０の追加構成要素が提供されてよい。実際、センサシステム１１０は、各構成要素の１つより多くのインスタンス（例えば１つより多くの容量ファブリックセンサ、１つより多くの照明システム１２０等）を含み得る。
【００２５】
特定の実施形態では、センサシステム１１０は、センサアセンブリを含んでよく、センサアセンブリは、例えば少なくとも１つの伸縮性容量センサに加えて、複数の異なるセンサを含む。例示的実施形態では、センサアセンブリは、加速度計（多軸加速度計の形式を含む）、ジャイロスコープ、位置決定デバイス（例えばＧＰＳ）、光センサ、温度センサ（周囲温度及び／又は体温を含む）、心拍数モニタ、画像キャプチャセンサ、湿度センサ及び／又はそれらの組合せを含むか又はそれらへの作動接続を許容し得る。デバイスのセンサ（複数可）から検出される動作又はパラメータは、これらに限定されないが、速度、距離、歩いた歩数、カロリー等のエネルギー消費量、心拍数及び汗の検出を含む、様々な異なるパラメータ、メトリクス又は生理学的特徴を含んでよい（又はそれらの形成するために使用されてよい）。そのようなパラメータはまた、ユーザの活動に基づいてユーザによって得られる活動ポイント又は通貨（ｃｕｒｒｅｎｃｙ）の表現によって表されてもよい。
【００２６】
センサシステム１１０は、衣類１０２を着用しているユーザの運動動作を検出及び／又は測定する際に利用されてよい。一実施形態では、センサシステム１１０から取得されたデータが運動パラメータに直接相関されるように、センサシステム１１０によって取得されたデータは、運動動作を直接に検出し得る。センサシステム１１０は、少なくとも１つの伸縮性容量ファブリックセンサを含み得る。少なくとも１つの伸縮性容量ファブリックセンサは、衣類１０２の構造に一体化されてよく、ファブリックセンサは、伸張モード、圧縮モード及び／又はスライドモードを感知し得る。システム１００の様々なファブリックセンサは、特定の位置でグループ化されてよく、かつ／又は衣類１０２の周りに対称に配置されてもよい。例えば図１Ａ及び図１Ｂのシステム１００には、６つのファブリックセンサ、すなわち、一対の右側歪みセンサ１１１ａ及び一対の左側歪みセンサ１１１ｂと、モードセンサ１１２と、時間／強度センサ１１４とが提供されている。当業者であれば、センサシステム１１０では様々な他の組合せ及び多数のセンサが採用され得ることを理解するであろう。例示的センサシステム１１０の例示的使用が、本明細書で提供される。
【００２７】
モードセンサ１１２及び時間／強度センサ１１４は各々、システム１００の作動を支援するために、ボタン等の１つ以上の入力機構を含んでよい。ボタンは、センサシステム１１０に関して議論されるタイプの１つ以上の要素のように、制御モジュール１１５及び／又は任意の他の電子部品に作動可能に接続される押下可能な入力部又はタッチスクリーン入力部であり得る。制御モジュール１１５は衣類１０２の一部に埋め込まれ得るか又は他の方法で衣類１０２の一部であり得る。衣類１０２は、織物構成要素を含む１つ以上の材料から形成され得、１つ以上のディスプレイ（図示せず）を含み得る。ディスプレイは、照明システム１２０以外のシステム１００の照明可能部分と見なされてよい。
【００２８】
照明システム１２０は、例示的実施形態において、発光ダイオード（ＬＥＤ）ライト等の、一連の個々のライトニング要素又はライト部材を含み得る。ＬＥＤライトは、アレイで形成されてよく、制御モジュール１１５に作動可能に接続され得る。照明システム１２０は、ディスプレイとともに又はディスプレイから完全に別個に、作動及び照明することができることが理解される。またディスプレイは、例示的実施形態においてＬＥＤライトの形態も取り得る、複数の追加のライトニング要素又はライト部材を含んでもよい。特定の実施形態において、ディスプレイは、設定又は目標の視覚的指示を提供し得る。
【００２９】
照明システム１２０のＬＥＤライトは、アレイで形成されてよく、制御モジュール１１５に作動可能に接続され得る。様々なインジケータシステムが、ディスプレイを提供するために照明システム１２０とともに作動及び照明し得ることが理解される。またインジケータシステムは、例示的実施形態においてＬＥＤライトの形態も取り得る、複数の追加のライトニング要素又はライト部材を含んでもよい。特定の実施形態では、インジケータシステムは、ゴール、ゴールに向かう進行、高度又は地形の変化、提案されたルート、マイルストーンの完了等といった様々なタイプの情報の視覚的指示を提供し得る。
【００３０】
制御モジュール１１５は、照明システム１２０の設定を指定するユーザ入力を受け取るように構成される時間／強度センサ１１４と、照明システム１２０の作動モードを指定するユーザ入力を受け取り、かつ照明システム１２０の電源をオン／オフするように構成されるモードセンサ１１２とを含む、追加センサに作動可能に接続され得る。時間／強度センサ１１４ー及びモードセンサ１１２は、ユーザが入力を提供するためのアクセスのしやすさを提供するよう、衣類の特定の位置に配置され得る。制御モジュール１１５は、衣類１０２が着用されたとき及び活動を行うときに、ユーザを邪魔しないように衣類の特定の位置上に配置され得る。モードセンサ１１２は、連続モード及びペースモードにそれぞれ対応する入力セレクタ１１２ａ及び１１２ｂを含み得る。時間／強度センサ１１４は、照明システム１２０の強度を調整し、かつ／又は照明システム１２０の脈動周波数を調整するよう構成されるスワイプパッド１１４ａのような、入力セレクタを含み得る。
【００３１】
図１Ａ及び図１Ｂに示されるように、センサシステム１１０は、衣類１０２上に配置され、着用されるときにユーザの左右三角筋にそれぞれ近接して置かれる、右側歪みセンサ１１１ａ及び左側歪みセンサ１１１ｂを含む。右側歪みセンサ１１１ａ及び左側歪みセンサ１１１ｂは、鎖骨領域から延びて肩にまたがって後部三角筋に沿い、三頭筋辺りで固定している、左右三角筋の上にそれぞれ配置され得る。右側歪みセンサ１１１ａ及び右側歪みセンサ１１１ｂは、モードセンサ１１２及び時間／強度センサ１１４の上側端部に近接する上部中央肩領域に近い衣類１０２の部分に取り付け得る。右側歪みセンサ１１１ａ及び右側歪みセンサ１１１ｂは、肩領域に沿って後端方向に向かって延び、部分的に肩領域を下って三角筋領域近くで終わり得る。いくつかの実施形態では、右側歪みセンサ１１１ａ及び右側歪みセンサ１１１ｂの配置は、肩章に似ていてよい。いくつかの実施形態では、センサシステム１１０からのデータは、センサ位置における歪みが増加したことを検出してよく、したがって、右側歪みセンサ１１１ａは、ユーザの右腕が動いたこと、例えばランニング又はジョギング中の腕の振りを示すことを単独で検出するように構成され得る。本明細書で説明されるように、所定の歪みの量により、ペースモードで動作しているときに照明システム１２０による照明シーケンスを開始するように、トリガーが制御モジュール１１５に送信されてもよい。しかし、他の実施形態では、右側歪みセンサ１１１ａ及び右側歪みセンサ１１１ｂからのデータは、相互に組み合わせて又は他のセンサと組み合わせて、動作を検出及び／又は測定するために利用され得る。したがって、特定の測定値は、種々なセンサから得られるデータを組み合わせることから決定されてよい。
【００３２】
センサシステムの１０４センサからの検出された動作又はパラメータは、これらに限られないが、速度、距離、歩いた歩数、カロリー等のエネルギー消費量、心拍数及び汗の検出等を含む、様々な異なるパラメータ、メトリクス又は生理学的特徴を含んでよい（又はそれらの形成に使用されてよい）。そのようなパラメータはまた、これらに限られないが、ユーザの活動に基づいてユーザによって得られる活動ポイント又は通貨を含め、任意の様々なタイプの表現によって表され得る。様々な実施形態に従って利用され得る伸縮性容量センサの例は、米国特許第７，９５８，７８９号及びＷＯ２０１４／２０４３２３で開示されており、あらゆる全ての非限定的目的のため、それらの内容全体が本明細書に組み込まれる。
【００３３】
追加センサは、例えばユーザの少なくとも１つの運動活動パラメータを検出及び／又はモニタするように構成される少なくとも１つの伸縮性ファブリックセンサとともに、センサシステム１１０に含まれ得る。そのような追加センサは、これらに限られないが、加速度センサ、ジャイロスコープ、位置決定デバイス（例えばＧＰＳ）、光センサ、温度センサ（周囲温度及び／又は体温を含む）、心拍数モニタ、画像キャプチャセンサ、湿度センサ及び／又はそれらの組合せを含み得る。
【００３４】
制御モジュール１１５は、運動活動中にユーザを邪魔しないように配置され得る。例えば図１Ｂに示されるように、制御モジュール１１５は、衣類１０２に固定されるときに上部又は中央背面部分に配置され得る。制御モジュール１１５は、センサシステム１１０から切り離し可能であり、かつ衣類１０２から取外し可能であるように構成され得る。制御モジュール１１５は、その中に電子機器及び他の構成要素を収納する密閉式外側シェル１１８を含み得る。密閉式外側シェル１１８は、衣類１０２に固着されるときに、制御モジュールの位置に従ってユーザの一部分、例えば図１Ａ及び図１Ｂのシャツ衣類１０２を着用しているユーザの背中の曲線の輪郭を描くように成形され得る。いくつかの例では、外側シェル１１８は、プラスチックの楕円形状のシェルであってよく、その中への水の侵入を最小化するように設計され得る。制御モジュール１１５は、外側シェル１１８の内側にバッテリ及びプリント回路基板アセンブリ（図示せず）を含み得る。制御モジュール１１５は、バッテリの分解又は取外しなしで、バッテリの充電を可能にするように構成され得る。バッテリは、外側シェル１１８を開くことで制御モジュール１１５から取外し可能であり得る。バッテリは外部充電器を用いて再充電可能であってよく、かつ／又は制御モジュール１１５から取外し可能であってよい。
【００３５】
外側シェル１１８は、様々な公知の構成によって開閉可能であってよく、様々な公知のツールの使用によって開閉可能であってよい。制御モジュール１１５は、衣類１０２から取外し可能であり、かつそれらの間のデータの伝送のためにコンピューティングデバイスに接続可能であるように構成され得る。制御モジュール１１５のすべての構成要素は、衣類１０２と一体型であってよく、かつ／又は洗濯可能であってよい。さらに、制御モジュール１１５は、耐水性の外側シェル１１８により部分的に洗濯可能であり得るが、制御モジュール１１５は依然として、例えば衣類１０２を洗濯機で洗濯するため、衣類１０２から取外し可能であり得る。制御モジュール１１５は、衣類１０２の内部ポケット内にフィットするようにサイズ調整及び設計されてよく、外側シェル１１８の身体側は、衣類１０２の内部ポケットの位置と位置合わせされる脊柱曲線（ｓｐｉｎｅ  ｃｕｒｖｅ）に整合するように輪郭が描かれてよい。制御モジュール１１５は、例えば衣類１０２に取り付けされるときに、衣類１０２の襟に直も近い、制御モジュール１１５の側面上の単一コネクタ１１７を介して、衣類１０２に接続され得る。制御モジュール１１５は、様々なＵＳＢ接続等の様々な公知のコンピュータ接続を介して、プログラミング、デバッグ等のために接続可能であり得る。例えば制御モジュール１１５は、外側シェル１１８が開いたときにのみ露出するＭｉｎｉ−Ｂ  ＵＳＢコネクタを含み得る。
【００３６】
制御モジュール１１５は、例えばユーザのペースを決定するために歪みセンサと対話するとき、ユーザによって加えられる圧力プロファイルを解釈するアルゴリズムを開発するために、データロギングが可能であり得る。制御モジュール１１５は、メモリ等の多様な非一時的コンピュータ読取可能媒体及び／又は例えばマイクロプロセッサデバイス等のソフトウェア命令を実行するための処理デバイスを含み得る。メモリは、ランダムアクセスメモリ（ＲＡＭ）及び／又は読み取り専用メモリ（ＲＯＭ）を含み得るが、それらに限定されない。メモリは、電気的消去可能プログラマブル読取り専用メモリ（ＥＥＰＲＯＭ）、フラッシュメモリ又は他のメモリ技術、ＣＤ−ＲＯＭ、デジタル多用途ディスク（ＤＶＤ）又は他の光ストレージ、磁気記憶デバイス、あるいは所望の情報を保存するために使用可能であって、かつ制御モジュール１１５によってアクセス可能な他の任意の媒体、のうち任意のものを含み得る。制御モジュール１１５は、例えば約２０Ｈｚ又は２０Ｈｚより大きい特定のサンプリングレートで、センサシステム１１０からデータを記録及び収集するメモリを含み得る。制御モジュール１１５は、バス又は代替通信構造を通して、１つ以上の周辺デバイスに直接又は間接に接続可能であり得る。例えば制御モジュール１１５の処理ユニット又はシステムメモリは、ハードディスクドライブ、取外し可能磁気ディスクドライブ、光ディスクドライブ及びフラッシュメモリカード等の追加メモリストレージにのみならず、入力デバイス及び出力デバイスにも、直接又は間接的に接続され得る。データは、制御モジュール１１５を別のコンピューティングデバイスに接続する際に制御モジュール１１５から取り出され得る。また、処理ユニット及びシステムメモリは、１つ以上の入力デバイス及び１つ以上の出力デバイスに直接又は間接的に接続され得る。出力デバイスは、例えばモニタディスプレイ、テレビ、プリンタ、ステレオ又はスピーカを含み得る。入力デバイスは、例えばキーボード、タッチスクリーン、リモートコントロールパッド、ポインティングデバイス（マウス、タッチパッド、スタイラス、トラックボール又はジョイスティック等）、スキャナー、カメラ又はマイクロフォンを含み得る。この点に関して、センサシステム１１０は、ユーザからの運動動作を感知、検出及び／又は測定するように構成される、制御モジュール１１５への一種の入力デバイスと見なされてよい。システム１００はまた、例えばセンサシステム１１０を作動させるために、ユーザが様々な選択を行うことを可能にするように、タッチスクリーン又は他のグラフィカルユーザインタフェースを含み得る。１つ以上の実施形態は、１つ以上の有線及び／又は無線技術を単独で又は組み合わせて利用してよく、無線技術の例は、Ｂｌｕｅｔｏｏｔｈ（登録商標）技術、Ｂｌｕｅｔｏｏｔｈ（登録商標）低エネルギー技術及び／又はＡＮＴ技術を含む。
【００３７】
またさらに、制御モジュール１１５及び／又はセンサシステム１１０の他の任意の構成要素は、ネットワークと通信するため１つ以上のネットワークインタフェースに直接又は間接に接続され得る。一例では、ネットワークインタフェースは、送信制御プロトコル（ＴＣＰ）、インターネットプロトコル（ＩＰ）及びユーザデータグラムプロトコル（ＵＤＰ）等の１つ以上の通信プロトコルに従って、制御モジュールからのデータ及び制御信号をネットワークメッセージに変換するように構成されるネットワークアダプタ又はネットワークインタフェースカード（ＮＩＣ）を含み得る。これらのプロトコルは、当分野では周知であり、したがって、ここでは更に詳細には論じないことにする。制御モジュール１１５に接続されたインタフェースは、例えば無線送受信機、電力線アダプタ、モデム又はイーサネット（登録商標）接続を含むネットワークに接続するため、任意の適切な接続エージェントを採用し得る。しかしながら、ネットワークは、インターネット（複数可）、イントラネット（複数可）、クラウド（複数可）、ＬＡＮ（複数可）といった、単独又は組み合わせ（複数可）としての、任意のタイプ（複数可）又はトポグラフィ（複数可）の任意の１つ以上の情報流通ネットワーク（複数可）であり得る。ネットワークは、ケーブル、ファイバ、衛星、電話、セルラー、無線等のうちの任意の１つ以上を含み得る。ネットワークは、例えば１つ以上のリモートサーバに又は他のコンピュータへの１つ以上の場所（例えば学校、会社、家庭、消費者居住、ネットワークリソース等）に接続するための１つ以上の有線又は無線の通信チャネル等を有するように、様々に構成され得る。
【００３８】
システム１００は、例えば運動動作又はユーザの他の活動を含む、ユーザの動作をモニタし得る。別の実施形態では、システム１００は、ワークアウト又はトレーニングセッション中に、視覚、触覚及び／又は音声の情報をユーザに提供し得る。例えば一実施形態では、センサシステム１１０は、ユーザの活動（又は不活動）を測定し、モニタ及び追跡するか又は他の方法で感知する活動モニタを含み得る。センサシステム１１０は、システム１００の様々な他の構成要素とのユーザの対話の間、運動動作又は他の活動（又は不活動）を検出してよく、かつ／又はそのような対話と独立に動作してもよい。システム１００は、有線又は無線でネットワーク及び／又は他のデバイスと直接又は間接的に通信し得る。システム１００から得られた運動データは、ユーザに提示されたエクササイズプログラムに関連する決定のように、コンピュータによって実施される決定において利用され得る。本明細書で使用されるとき、運動データとは、ユーザの活動（又は不活動）に関する又はそれに関連するデータを意味する。一実施形態では、システム１００は、フィットネス又は健康関連の内容に特化されたサイト等のリモートウェブサイトと、直接又は間接的に（例えばモバイルデバイスを介して又は制御モジュール１１５を直接にコンピューティングデバイスに差し込むことによって）無線で対話し得る。本実施形態又は別の実施形態では、システム１００は、フィットネス又は健康関連の内容に特化したアプリケーションに関して、モバイルデバイスと対話し得る。いくつかの実施形態では、何らかの所定の時間（複数可）に、ユーザは、システム１００から別の位置にデータを伝送したいことがある。例えばユーザは、比較的小さいメモリを有するポータブルデバイスから、より大容量のメモリを備えたより大きなデバイスにデータをアップロードしたいことがある。システム１００と他のデバイスとの間の通信は、無線で、かつ／又は有線機構を通して実行され得る。
【００３９】
ここで図２を参照すると、照明システム１２０のＬＥＤモジュール１２１の更なる態様が図示されている。照明は、概して長さに沿って延びるストリップとして構築される、ＬＥＤモジュール１２１の対向する端部上に配置される２つのＬＥＤ１２２ａ及び１２２ｂによって提供され得る。いくつかの例では、単一のＬＥＤが、特定の位置に及び／又はストリップに沿って提供されてよく、あるいは衣類１０２に沿って任意の他の形状を形成してよい。なお、他の例では、複数の追加ＬＥＤが、ＬＥＤモジュール上に提供され得るか、かつ／又は他のＬＥＤモジュールと対をなし得るか、かつ／又は衣類１０２上の様々な位置に配置され得る。ＬＥＤ１２２ａ及び１２２ｂは、「ドッグボーン形状」、すなわち細長い中央領域と、各端部上に、ＬＥＤ１２２ａ及び１２２ｂの各々がそれぞれ取り付けられるより大きなエリアとを有する、共通のフレキシブルプリント回路基板（ＰＣＢ）１２３上で接続される。フレキシブルＰＣＢ１２３及びＬＥＤ１２２ａと１２２ｂは、当分野で公知のものと同様であってよく、、典型的に消費者用電化製品で見受けられ得る。ＬＥＤ１２２ａと１２１ｂは、各々のＬＥＤ１２２ａと１２２ｂのために電流を個別にシンク（ｓｉｎｋ）可能な各々のカソードを有する、コモンアノード構成で配線され得る。撚り線スパイン（twisted  wire  spine）で構成される中央電機子（central  armature）１２５は、フレキシブルＰＣＢ１２３の中央領域周辺に提供され得る。中央電機子１２５は、ストップモーションキャラクタ、アクションフィギュア及び他のおもちゃの内部の折曲げ可能又は姿勢づけ可能（ｐｏｓａｂｌｅ）な構造で使用されるものと類似であり得る。ケーシング１２６は、ＬＥＤモジュール１２１ａと１２１ｂ、中央電機子１２５及びフレキシブルＰＣＢ１２３等の照明システム１２０の構成要素の上を覆うように成形され得る。ケーシング１２６は、光学的に透明で遮水性の及び／又はゴム性の素材から構成され得る。いくつかの例では、ケーシング１２６は、ポリジメチルシロキサン（ＰＤＭＳ）、ポリウレタン（ＴＰＵ／ＰＵ）、ポリエステル及び／又はエポキシ樹脂から構成され得る。ケーシング１２６は、ケーシング１２６の後側の平面にて延びるフランジ１２７を含み得る。フランジ１２７は、例えば縫製及び／又は熱接合により衣類１０２に取り付け可能であり得、したがって、照明システム１２０の一端のために衣類１０２へのアンカーとしての働きをする。
【００４０】
いくつかの例では、図１Ａに示されるＬＥＤモジュール１２１ａ及び１２１ｂの各々は、ユーザに近接した特定のエリアに照明を提供するように構成され得る。例えばＬＥＤモジュール１２１ａ及び１２１ｂは、使用中に着用者の前の５メートル又は３メートルの範囲内に照明を提供するように構成され得る。いくつかの例では、ＬＥＤモジュール１２１ａ及び１２１ｂは、特定の活動に適切な照明エリア、例えばランニング中にはユーザの２〜３メートルの範囲内の照明エリアを提供するように構成され得る。最大瞬間電流５０ｍＡ及び最大連続電流２０ｍＡを有するＬＥＤモジュール１２１ａと１２１ｂに提供されたＬＥＤが提供され得、制御モジュール１１５からの抵抗値は、０〜５オームの範囲未満又はその範囲内であり得る。いくつかの実施形態では、抵抗値は変動し得ない。本開示の範囲を逸脱することなく、ＬＥＤモジュール１２１ａと１２１ｂの更に他の範囲が可能である。
【００４１】
いくつかの実施形態では、ＬＥＤモジュール１２１ａ及び１２１ｂからの照明強度は、いくつかのピーク位置から分布し得る。例えば照明強度は、着用者の２〜３ｍ手前及び左右１〜２ｍ手前及び左右側から１〜２ｍ外側、の左右の中心領域内に分布し得る。いくつかの実施形態では、各ＬＥＤモジュール１２１ａ及び１２１ｂは、一対のＬＥＤを含み得る。例えばＬＥＤモジュール１２１ａは、インボード右ＬＥＤとアウトボード右ＬＥＤを含んでよく、ＬＥＤモジュール１２１ｂは、インボード左ＬＥＤとアウトボード左ＬＥＤを含んでよい。インボード左右ＬＥＤは、照明の中心領域に向かうように構成されてよく、アウトボード左右ＬＥＤは、それぞれ左右側の照明に向かうように構成され得る。いくつかの例では、ＬＥＤモジュール１２１ａと１２１ｂは、衣類上に対称に配置され得る。例えば図１Ａに示されるように、ＬＥＤモジュール１２１ａと１２１ｂは、衣類１０２の前面の中央前方部分に対して左右対称であり、着用者の第１肋骨とほぼ整列し、着用者の胸骨を中心とし得る。当業者であれば、他の構成が可能であることを理解するであろう。
【００４２】
照明システム１２０は、選択されたモード又は動作に基づいて、目標とする及び／又は制御可能な照明エリアを有するように構成され得る。例えばＬＥＤモジュール１２１ａ及び１２１ｂは、着用者の目を直接照明する経路を持たないように遮蔽又は有向され得る。いくつかの例では、照明システム１２０は、衣類１０２に一体化されるときに、ねじれたり又は曲った形状になるように構成されてよく、これによって、着用者は、特定の使用に最もよく適するように、例えば狭いトレイルを走っている間は照明領域を絞り込んだり、広い歩道の間は照明領域を拡大したりするように、各ＬＥＤモジュールからの照明のピークを狙うことができる。さらに、照明システム１２０の一部分は、着用者の特定の解剖学的構造に合うように調整可能であり得る。照明システム１２０は、該照明システムが作動可能に接続される制御モジュール１１５からの設定に基づいて、照明の強度及び／又は継続時間を調整するように構成され得る。照明システム１２０から制御モジュール１１５への接続は、フレキシブルＰＣＢ１２３にはんだ付け又は他の方法で接合された配線又はケーブル（例えばフラット形状ケーブル）を用いて行われ得る。いくつかの例では、配線又はケーブルがフレキシブルＰＣＢ１２３に接続されると、例えば配線／又はケーブルを密封して歪み軽減（ｓｔｒａｉｎ  ｒｅｌｉｅｆ）を提供するように、オーバーモールド（ｏｖｅｒ−ｍｏｌｄｉｎｇ）する第２プロセスが実行され得る。オーバーモールドは、配線／ケーブルを損傷しないように、比較的低温及び低圧力プロセスを使用するホットメルト接着剤を用いて実施され得る。いくつかの例では、フレキシブルＰＣＢ１２３と配線／ケーブルとの間の接続は、代替として又は追加として、二液エポキシ樹脂を用いる鋳造プロセスを使用して密封及び歪み軽減され得る。
【００４３】
モードセンサ１１２の近接図が、図３に図示されている。モードセンサは、衣類１０２が着用されるときに、ユーザがモードセンサ１１２にアクセスすることを可能にする衣類の位置上に配置され得る。例えば図１Ａに示されるように、モードセンサ１１２は、衣類１０２がシャツ又はジャケット衣類タイプであるとき、衣類１０２の胸筋領域の上に配置され得る。モードセンサ１１２は、連続モード入力セレクタ１１２ａ及びペースモード入力セレクタ１１２ｂを含んでよく、それらの入力セレクタは、単一構成要素にグループ化されてもよい。コネクタ１１３は、モードセンサ１１２の端部に提供され得る。コネクタ１１３は、モードセンサ１１２の端部から突き出るフラットタブであってよく、センサシステムへの動作可能な接続のために１つ以上の導電性パッドで構成されてよい。衣類１０２内に設置されるとき、コネクタ１１３は、衣類１０２の肩領域に最も近い縁部に配置され得る。
【００４４】
ここで図４を参照すると、時間／強度センサ１１４の近接図が図示されている。時間／強度センサ１１４は、衣類１０２がシャツ又はジャケット衣類タイプであるとき、モードセンサ１１２に対向する面上にて衣類１０２の胸筋領域の上に位置し得る。いくつかの例では、モードセンサ１１２及び時間／強度センサ１１４は、衣類１０２上に対称に配置され得る。いくつかの例では、モードセンサ１１２及び時間／強度センサ１１４は各々、その２つを区別する際の使いやすさのために、異なる形状、色及び／又はサイズを有し得る。モードセンサ１１２及び時間／強度センサ１１４は、類似したサイズであってもよく、相互に左右対称に位置してもよい。例えばモードセンサ１１２は、概して砂時計形状を有してよく、連続モード入力セレクタ１１２ａ及びペースモード入力セレクタ１１２ｂの各々は、概して丸形又は長円形を有する。柔軟性を高めて、モードセンサ１１２の位置決めを助けるために、連続モード入力セレクタ１１２ａとペースモード入力セレクタ１１２ｂとの間にウエスト（ｗａｉｓｔ）又はネッキング（ｎｅｃｋｉｎｇ）が提供されてよく、したがって、概して砂時計形状を提供し、砂時計形状は、他端に対する一端の多少のひねり性をも可能にし得る。衣類１０２に取り付けられるとき、モードセンサ１１２は、連続モード入力セレクタ１１２ａが肩領域に最も近接し、かつペースモード入力セレクタ１１２ｂが衣類１０２の肩領域から遠くにあるように配置され得る。時間／強度センサ１１４は、概して涙滴形状を備え得、より大きな直径の端部が衣類１０２の肩領域の近くに位置する。モードセンサ１１２及び時間／強度センサ１１４は各々、縁部の形状又はテクスチャによって、かつ／又は全体的な形状によって位置決めできるような形状であり得る。
【００４５】
モードセンサ１１２の連続モード入力セレクタ１１２ａは、連続照明設定において照明システム１２０をパワーオン（及び／又はパワーオフ）するために、押下され得る。連続照明設定において、時間／強度センサ１１４は、入力を受け取って照明システム１２０の照明を増加又は減少させるように構成され得る。図４に示される例示的実施形態では、時間／強度センサ１１４は、受け取ったスワイプ入力に基づいて照明強度を調整するように構成されたスワイプパッド１１４ａを含み得る。例えばより狭い下端部からより広い上端部へのスワイプパッド１１４ａ上での上向きスワイプは、照明強度を増加させ得る。繰り返しの上向きスワイプは、照明強度を最高強度に増加させてよく、最大強度においては更に上向きにスワイプしても何の効果も生じないであろう。例えばより広い上端部からより狭い下端部へのスワイプパッド１１４ａ上での下向きスワイプは、照明強度を減少させ得る。繰り返しの下向きスワイプは、照明強度を最低強度に減少させてよく、最低強度においては更に下向きにスワイプしても何の効果も生じないであろう。いくつかの例では、最低強度は、パワーオフ状態の照明システム１２０と関連付けられてよい。両方の照明モジュール１２１ａ及び１２１ｂは、連続照明設定のときにパワーオンされ得る。いくつかの例では、照明モジュール１２１ａと１２１ｂの一方又は両方が、例えばユーザ入力に応答して、連続照明設定において、選択的にパワーオン又はパワーオフされ得る。スワイプパッド１１４ａで受け取った入力に基づく照明強度の変化は、照明システムのＬＥＤモジュール１２１ａと１２１ｂに供給される電流を変化させ得る。供給された電流の変化は、両方のＬＥＤモジュール１２１ａと１２１ｂで同一であり得る。いくつかの例では、照明強度の差分的変化を示す入力に応答して、供給された電流の様々な変化が、ＬＥＤモジュール１２１ａと１２１ｂに適用され得る。
【００４６】
モードセンサ１１２のペースモード入力部１１２ｂは、ペーストリガー照明設定において、照明システム１２０をパワーオン（及び／又はパワーオフ）するために押下され得る。例えばシステム１００は、左右の三角筋センサ１１１ａと１１１ｂから検出された腕の振りに基づいて使用ペースを決定してよく、ＬＥＤモジュール１２１ａと１２１ｂへの照明は、決定されたペースに基づいて交互に又は差動的に提供され得る。一実施形態では、ペースモード入力部１１２ｂを押下すると、ＬＥＤモジュール１２１ａと１２１ｂの各々は、短い点滅又は照明システム１２０がパワーオンされていることを示す他の信号を出力するように構成され得る。次いで、検出された腕の振りに関連付けられる、左右の三角筋センサ１１１ａと１１１ｂからのトリガリング信号があると、ＬＥＤモジュール１２１ａと１２１ｂからの更なる照明が生じ得る。左右の三角筋センサ１１１ａと１１１ｂは、ユーザのランニング中において、ユーザのペースを示すトリガー信号を生成するため、各々の腕の振りによって延長及び圧縮するように構成され得る。ペーストリガー照明設定中に、時間／強度センサ１１４のスワイプパッド１１４ａは、受け取ったスワイプ入力に基づいて（トリガー後の）照明の継続時間を調整するように構成され得る。例えばより狭い下端部からより広い上端部へのスワイプパッド１１４ａ上での上向きスワイプは、照明の継続時間を増加させ得る。繰り返しの上向きスワイプは、照明の継続時間を最大継続時間に増加させてよく、最大継続時間においては更に上向きにスワイプしても何の効果も生じないであろう。いくつかの例では、最大継続時間は、連続的にパワーオン状態にある照明システム１２０に関連付けられてよい。例えばより広い上端部からより狭い下端部へのスワイプパッド１１４ａ上での下向きスワイプは、照明の継続時間を減少させ得る。繰り返しの下向きスワイプは、照明の継続時間を最低継続時間に減少させてよく、最低継続時間においては更に下向きにスワイプしても何の効果も生じないであろう。いくつかの例では、最低継続時間は、パワーオフ状態の照明システム１２０に関連付けられてよい。いくつかの例では、腕振りトリガー間の間隔が照明の継続時間未満である場合、照明は、トリガーの発生時に短い点滅を伴うがほぼ連続的であり得る。いくつかの例では、目標とされたペース照明設定がトリガーされ得るが、その設定では、照明システム１２０は、目標のペースに基づいてＬＥＤモジュール１２１ａと１２１ｂの間の照明をトリガーする。
【００４７】
いくつかの実施形態では、ペーストリガー照明設定のとき、左ＬＥＤモジュール１２１ｂは、左三角筋センサ１１１ｂからのトリガーに基づいてそのＬＥＤの両方に電源供給するように構成され得る。同様に、ペーストリガー照明設定では、右ＬＥＤモジュール１２１ａは、右三角筋センサ１１１ａからのトリガーに基づいてそのＬＥＤの両方に電源供給するように構成され得る。いくつかの実施形態では、ペーストリガー照明設定中においてユーザが動作を停止し、こうして更なる腕の振りを停止する場合、両方のＬＥＤモジュール１２１ａと１２１ｂは照明を停止するように構成され得る。
【００４８】
いくつかの実施形態では、連続モード入力部１１２ａ及びペースモード入力部１１２ｂの両方が、例えば数秒より長い間、同時に押下されると、照明システム１２０はパワーオフされ得る。連続モード入力部１１２ａとペースモード入力部１１２ｂとの間隔は、特にユーザが運動活動を行って疲労し得るとき、両方の入力部を２本指で又はユーザの手のひらの付け根（ｈｅｅｌ  ｏｆ  ａ  ｐａｌｍ）で同時に押すことができ、したがって、システム１００の使用の容易性を提供するように設計され得る。
【００４９】
連続的照明設定又はペーストリガー照明設定のいずれかにおいては、中央ＬＥＤ及びアウトボードＬＥＤに供給される電流の比は固定され得る。なお、いくつかの例では、中央ＬＥＤ及びアウトボードＬＥＤに供給される電流の比は調整可能であり得る。供給される電流の比は、ファームウェアで調整可能であってよく、かつ／又は両側にとって同一であってもよい。なお、いくつかの実施形態では、各ＬＥＤは、本開示の範囲から逸脱せずに、供給される電流の異なる比を受け取ってよい。
【００５０】
センサシステム１１０、照明システム１２０及び制御モジュール１１５は、例えば図６Ａ及び図６Ｂに示されるように、衣類１０２のシームに沿った経路の配線１６０によって衣類内で相互接続され得る。配線１６０は、衣類１０２の意識的な伸縮を阻害しないように、主として衣類１０２中の縫い目に沿った経路を取り得る。さらに、例えばセンサシステム１１０、制御モジュール１１５及び照明システム１２０を含む様々な構成要素のサイズは、衣類１０２の伸縮性及び柔軟性を維持できるように小さく維持され得る。いくつかの実施形態では、配線は、可撓性で薄く金属被覆された糸で構成され得る。例えばＳｙｓｃｏｍ  Ａｄｖａｎｃｅｄ  ＭａｔｅｒｉａｌｓによるＡｍｂｅｒＳｔｒａｎｄ１６６の金属被覆された糸が、使用され得る。配線１６０は、衣類１０２のハーフジッパー（ｈａｌｆ−ｚｉｐｐｅｒ）１６２を経由し、ジッパーの両側上の各シームに沿って上方向に襟１６３のシームに至る経路を取り得る。次に、配線１６０は、襟１６３付近を経由して首の背面に、かつ下方向に制御モジュール１１５に至る経路を取り得る。そのような配線の例示的実施形態は、図６Ａ及び図６Ｂに図示されている。
【００５１】
図７に示すように配線１６０は、コードとして適用される導電性糸と、フラットパネルに固定されたジッパーに沿ったヘムライン（ｈｅｍ  ｌｉｎｅ）とともに、３０４ジグザグロックステッチ１７０を使用して、衣類に固着され得る。３０４ロックステッチは、本明細書で議論される様々なフレキシブル回路基板材料の上に、かつそれを通して縫製され得る。配線１６０は、フレキシブルＰＣＢの導電性パッドとその上部で位置合わせされてよい。いったん定位置になると、絶縁部が取り除かれてよく、配線１６０は導電性パッドと接触されるようになり得る。例えばそのようなプロセスは、導電性パッドの上に導電性糸／配線を配置するステップと、配線から絶縁カバーをはがし取るステップと、例えばアセトン、磨耗性マイクロブラシ、圧力パッド、正流及び吸引等を使用して、配線から絶縁カバー溶剤（solvent）をはがし取るステップと、を含み得る。次に、接点の補強材を、例えばＭａｓｔｅｒＳｉｌ  ７０５／Ｓ等の導電性接着剤を使用して塗布する必要があり得る。いくつかの例では、絶縁材料、例えばＭａｓｔｅｒＳｉｌ  ７０９又は７１０の最終層が、急速な空気硬化性及び可撓性コーティングのために提供され得る。そのような配線固着プロセスは、衣類が洗濯機洗い可能であるが、依然として柔軟性、接着性及び導電率を保持することを可能にし得る。
【００５２】
いくつかの実施形態では、制御モジュール１１５に対するセンサシステム１１０、モードセンサ１１２及び時間／強度センサ１１４の間の相互接続は、衣類に無線周波数（ＲＦ）接合又は熱接合される、導電性インクトレース付きの熱可塑性ウレタンフィルムを含むテープで構成され得る。導電性糸はまた、配線について記述された様々な接続を作成するために使用され得る。しかしながら、導電性糸を用いた接続は、テープを用いた接続より低密度であり得る。フレキシブルプリント回路、機械的金属接続部、糸及び／又は配線の組合せは、本明細書で記述されている様々な構成要素を相互接続する低電流、低電圧経路を相互接続するために使用され得る。また、同軸ケーブルが、様々な接続を形成してもよく、例えばケーブルの柔軟性及び拡張性／圧縮性を向上させるために、ケーブルの口径が十分に小さく、経路がヘビ状に曲がりくねる。
【００５３】
いくつかの実施形態では、システムは、ユーザに着用されるようにサイズ調整及び採寸された衣料品と、衣料品に一体化されるセンサシステムと、を含む。センサシステムは、衣料品が着用されるときに、ユーザのバイオメトリックパラメータを測定するように、衣料品上に配置された少なくとも１つの伸縮性容量センサと、ユーザの測定されたバイオメトリックパラメータに基づいて、特定の照明エリアに照明を提供するように構成さるた照明システムと、照明システムの１つ以上の設定を制御する制御モジュールと、を含み得る。少なくとも１つの伸縮性容量センサは、衣料品がユーザに着用されるときに右三角筋に近接して配置される１つ以上のセンサと、衣料品がユーザに着用されるときに左三角筋に近接して配置される１つ以上のセンサと、を含み、少なくとも１つの伸縮性容量センサは、ユーザの腕の振りを感知してユーザのペースを感知するように構成され得る。少なくとも１つの伸縮性容量センサは、衣料品がユーザに着用されるときに右脚の少なくとも一部分に近接して配置される１つ以上のセンサと、衣料品がユーザに着用されるときに左脚に近接して配置される１つ以上のセンサと、を含み得、少なくとも１つの伸縮性容量センサは、ユーザの脚の振りを感知してユーザのペースを決定するように構成され得る。照明システムは、ユーザの測定されたバイオメトリックパラメータに基づいて設定された脈動周波数を用いてパルス照明を提供するように構成され得る。センサシステムは、照明システムの１つ以上の設定を指定するユーザからの入力を受け取るように構成される時間／強度センサ及び／又はセンサシステムの１つ以上の作動モードを指定するユーザからの入力を受け取るように構成されるモードセンサを含み得る。モードセンサは、連続モード構成要素及びペースモード構成要素を含み、各々がそれぞれの入力部を有する。照明システムは、複数のＬＥＤモジュールを含み得る。制御モジュールは、照明システムの強度を調整するための強度変更器と、照明システムの脈動周波数を調整するための周波数変更器と、を含み得る。制御モジュールは、センサシステムから切り離し可能であり、かつ衣料品から取外し可能であるように構成され得、かつ／又はその中に電子部品を収納する密閉式外側シェルを含み得る。照明システムは、選択された作動モードに基づいて、目標の制御可能な照明エリアを提供するように構成され得、かつ／又は特定の照明エリアを調整するために移動可能であり得る。少なくとも１つの伸縮性容量センサは、ユーザのバイオメトリック動作のタイプに基づいて歪みを検出するように構成され得る。制御モジュールは、コンピューティングデバイスに接続し、かつコンピューティングデバイスとの間でデータを伝送するように構成され得る。
【００５４】
いくつかの実施形態では、ユーザが運動活動を行うときに、衣類から照明を提供する方法が提供されている。本方法は、衣類上に位置する１つ以上のセンサから歪みを感知するステップと、感知された歪みに基づいてユーザのペース又は予測される次の動作を決定するステップと、決定されたペース又は予測される次の動作に基づいて、ユーザの経路の一部分を、衣類の照明システムに照明させるステップと、を含み得る。本方法は、決定されたペースに基づいて、次のフットストライクのサイドを決定するステップを更に含み得る。次いで、照明システムに照明させるステップは、次のフットストライクの決定されたサイドに対応するユーザの経路エリアを照明するステップを含み得る。本方法は、ユーザ提供された入力に応答して、ユーザの経路の照明の継続時間を調整するステップを更に含み得る。本方法は、ユーザ提供された入力に応答して、一定の照明を提供するように照明システムを調整するステップを更に含み得る。一実施形態では、システムは、１つ以上のエクササイズを行うようにユーザを促し、エクササイズを行っている間、ユーザの動作をモニタし、そのパフォーマンスに基づいてユーザにフィードバックを提供し得る。
【００５５】
いくつかの実施形態では、ユーザが運動活動を行うとき、衣類から照明を提供する方法が提供されている。本方法は、衣類上に位置するセンサから歪みを感知するステップと、感知された歪みに基づいてユーザのバイオメトリックパラメータを決定するステップと、決定されたバイオメトリックパラメータに基づいて特定の照明エリアを、照明システムに照明させるステップと、を含む。決定されたバイオメトリックパラメータは、ユーザのペースであってよく、本方法は、ユーザのペースに基づいて次のフットストライクのサイド又はエリアを決定するステップを更に含んでよくここで、特定の照明エリアは次のフットストライクの決定されたサイドに対応する。本方法は、１つ以上のユーザ入力に従って照明システムによる照明の継続時間を調整するステップ、１つ以上のユーザ入力に従って照明システムによる照明の強度を調整するステップ及び／又は１つ以上のユーザ入力に従って一定の照明を提供するように照明システムを調整するステップを更に含み得る。
【００５６】
一例では、１つ以上のセンサは、様々な位置においてユーザの身体上に又は身体に近接して位置してよく、かつ／又はセンサの位置は他の感知デバイスによって決定されてもよい。例えばセンサは、関節（例えば足首、肘、肩等）等のような身体動作領域に従って設置され得るか又はユーザの身体の他の関心位置に設置され得る。この点に関して、センサは、ユーザの服の上／中に位置する物理的センサであってよく、更に他の実施形態において、センサ位置は、２つの動く身体部分の間の関係の識別に基づいてよい。センサは、身体部分の現在の位置を感知し、かつ／又は身体部分の動作を追跡し得る。一実施形態において、位置は、ユーザの重心又は質量中心の決定に利用され得る。例えば１つ以上の他の位置に対する位置間の関係は、ユーザの重心が縦軸方向に（例えばジャンプ中又はランニングストライドの一部として等）上昇したかどうかを判断するのに利用され得る。一実施形態では、追加又は代替の様々なセンサ位置は、ユーザの胸骨の周り及び／又はユーザのへそに近接して位置し得る。特定の実施形態では、センサの位置からのデータを利用して（単独で又は他のデータと組み合わせて）、ユーザの重心及び／又は縦軸の変化を決定し得る。更なる実施形態において、複数のいくつかのセンサ位置の間の関係は、ユーザの向き及び／又はユーザの胴体のねじれ等の回転力の決定に利用され得る。さらに、１つ以上の位置が、モーメント位置の中心として又は特定の身体部分もしくは領域のモーメントの中心として利用され得る。
【００５７】
一例では、本システムは、初期ユーザ評価の一部としてユーザの初期姿勢評価を行い得る。コンピュータは、ユーザの正面及び側面の画像を解析して、衣類のタイプに依存して、ユーザの肩、上背、下背、臀部、膝及び／又は足首、のうちの１つ以上の位置を決定し得る。
【００５８】
ディスプレイ又はディスプレイデバイス（図示せず）はまた、ユーザのパフォーマンス・メトリクスを示す１つ以上のパフォーマンスレベルインジケータを提示し得る。例のメトリクスは、速度、素早さ、パワー、寸法（例えば進んだ距離又は浸漬（dipped）距離、ジャンプした高さ、臀部又は肩の回転）、反応時間、機敏性、柔軟性、加速度、心拍数、体温（例えば過熱）、血中酸素含有量あるいは他の身体的又は生理学的メトリクスを含み得る。パフォーマンスレベルインジケータは、例えばゲージ、速度計、棒型インディクタ、パーセンテージインジケータ等として描かれ得る。
【００５９】
いくつかの実施形態では、衣類はシャツ又はジャケットであってよく、少なくとも１つの容量センサは一対のセンサを含んでよく、各センサは、ユーザの左右三角筋に対応するように配置されて、ユーザの腕の振りを感知するように構成され得る。各三角筋センサは、ユーザの腕の振りを示す歪みを感知するように構成され得る。いくつかの実施形態では、衣類は１着のズボン又は半ズボンであり得、少なくとも１つの容量センサはユーザの左右の足首、膝、大腿等に対応するように配置され得、ユーザのペース又は脚の振りを感知するように構成され得る。当業者であれば、衣類タイプ及びセンサ位置の様々な他の組合せが、本開示の範囲から逸脱せずに提供され得ることを理解するであろう。
【００６０】
ユーザは、運動活動中に動作可能に接続され得るシステムを装着しながら、任意の数の追加の他の電子デバイスを所持、携行及び／又は装着し得る。実際、そのようなデバイスは、システムとともに又はシステムとは別個に、運動データを収集、検出及び／又は測定するために使用され得る。いくつかの実施形態では、システムは、そのようなデバイスにデータを送信するように構成され得る。そのようなデバイスは、カリフォルニア州クパチーノのＡｐｐｌｅ社から入手できるＩＰＯＤ（登録商標）、ＩＰＡＤ（登録商標）又はｉＰｈｏｎｅ（登録商標）ブランドのデバイス、あるいはワシントン州レドモンドのＭｉｃｒｏｓｏｆｔから入手できるＺｕｎｅ（登録商標）又はＭｉｃｒｏｓｏｆｔ（登録商標）  Ｗｉｎｄｏｗｓデバイスを含め、電話又はデジタル音楽プレーヤ等のポータブル電子デバイスを含み得る。
【００６１】
本明細書で説明される特徴の１つ以上を有する衣料システムを提供することは、ユーザに向上したトレーニング経験を提供することができ、これは、ユーザが運動活動に従事して自分のフィットネスを改善するように促し、興味を起こさせるであろう。ユーザは、衣料システムの様々な設定を更に調整して、特定のトレーニング設定において、特定のトレーニング設定を特定のユーザに適合させ得る。
【００６２】
実施形態の態様が、その例示的実施形態に関して説明されてきた。添付の特許請求の範囲及び精神内の多数の他の実施形態、修正及び変形が、本開示のレビューから当業者に想起されるであろう。例えば当業者は、例示的図面で図示されているステップが、記載された以外の順序で実施されてもよく、図示された１つ以上のステップが本開示の態様に応じてオプションであってもよいことを認識するであろう。
【００６３】
例示の実施形態は、以下を提供する。
Ａ．  システムであって、
ユーザに着用されるようにサイズ調整及び採寸された衣料品と、
衣料品と一体化されるセンサシステムと、
を含み、センサシステムは、
衣料品が着用されるときに、ユーザのバイオメトリックパラメータを測定するように、衣料品上に配置される少なくとも１つの伸縮性容量センサと、
ユーザの測定されたバイオメトリックパラメータに基づいて、特定の照明エリアに照明を提供するように構成される照明システムと、
照明システムの１つ以上の設定を制御する制御モジュールと、
を含むシステム。
【００６４】
Ｂ．少なくとも１つの伸縮性容量センサは、ユーザに衣料品が着用されるときに右三角筋に近接して配置される１つ以上のセンサと、ユーザに衣料品が着用されるときに左三角筋に近接して配置される１つ以上のセンサと、を含み、少なくとも１つの伸縮性容量センサは、ユーザの腕の振りを感知してユーザのペースを感知するように構成される、Ａに記載のシステム。
【００６５】
Ｃ．少なくとも１つの伸縮性容量センサは、ユーザに衣料品が着用されるときに右脚の少なくとも一部分に近接して配置される１つ以上のセンサと、ユーザに衣料品を着用されるときに左脚に近接して配置される１つ以上のセンサと、を含み、少なくとも１つの伸縮性容量センサは、ユーザの脚の振りを感知してユーザのペースを決定するように構成される、Ａ又はＢに記載のシステム。
【００６６】
Ｄ．照明システムは、ユーザの測定されたバイオメトリックパラメータに基づいて設定された脈動周波数を用いてパルス照明を提供するように構成される、Ａ、Ｂ又はＣに記載のシステム。
【００６７】
Ｅ．センサシステムは、照明システムの１つ以上の設定を指定するユーザからの入力を受け取るように構成された時間／強度センサを含む、Ａ〜Ｄのいずれか１つに記載のシステム。
【００６８】
Ｆ．センサシステムは、センサシステムの１つ以上の作動モードを指定するユーザからの入力を受け取るように構成されたモードセンサを含む、Ａ〜Ｅのいずれか１つに記載のシステム。
【００６９】
Ｇ．モードセンサは、連続モード構成要素及びペースモード構成要素を含み、各々がそれぞれの入力部を有する、Ｆに記載のシステム。
【００７０】
Ｈ．照明システムは、複数のＬＥＤモジュールを含む、Ａ〜Ｇのいずれか１つに記載のシステム。
【００７１】
Ｉ．制御モジュールは、照明システムの強度を調整するための強度変更器と、照明システムの脈動周波数を調整するための周波数変更器と、を含む、Ａ〜Ｈのいずれか１つに記載のシステム。
【００７２】
Ｊ．制御モジュールは、センサシステムから切り離し可能であり、かつ衣料品から取外し可能であるように構成される、Ａ〜Ｉのいずれか１つに記載のシステム。
【００７３】
Ｋ．制御モジュールは、その中に電子部品を収納する密閉式外側シェルを含む、Ａ〜Ｊのいずれか１つに記載のシステム。
【００７４】
Ｌ．照明システムは、選択された作動モードに基づいて、目標とする制御可能な照明エリアを提供するように構成される、Ａ〜Ｋのいずれか１つに記載のシステム。
【００７５】
Ｍ．照明システムは、特定の照明エリアを調整するために移動可能である、Ａ〜Ｌのいずれか１つに記載のシステム。
【００７６】
Ｎ．少なくとも１つの伸縮性容量センサは、ユーザのバイオメトリック動作のタイプに基づいて歪みを検出するように構成される、Ａ〜Ｍのいずれか１つに記載のシステム。
【００７７】
Ｏ．制御モジュールは、コンピューティングデバイスに接続し、コンピューティングデバイスとデータを伝送するように構成される、Ａ〜Ｎのいずれか１つに記載のシステム。
【００７８】
Ｐ．ユーザが運動活動を行うときに、衣類から照明を提供する方法であって、当該方法は、
衣類上に位置するセンサから歪みを感知するステップと、
感知された歪みに基づいてユーザのバイオメトリックパラメータを決定するステップと、
決定されたバイオメトリックパラメータに基づいて、特定の照明エリアを、照明システムに照明させるステップと、
を含む、方法。
【００７９】
Ｑ．決定されたバイオメトリックパラメータは、ユーザのペースであり、当該方法は、ユーザのペースに基づいて次のフットストライクのサイドを決定するステップを更に含み、特定の照明エリアは、次のフットストライクの決定されたサイドに対応する、Ｐに記載の方法。
【００８０】
Ｒ．１つ以上のユーザ入力に従って照明システムによる照明の継続時間を調整するステップを更に含む、Ｐ又はＧに記載の方法。
【００８１】
Ｓ．１つ以上のユーザ入力に従って照明システムによる照明の強度を調整するステップを更に含む、Ｐ、Ｑ又はＲに記載の方法。
【００８２】
Ｔ．１つ以上のユーザ入力に従って一定の照明を提供するように照明システムを調整する、Ｐ又はＱに記載の方法。
【図１Ａ】
2020534886.tif 000003
【図１Ｂ】
2020534886.tif 000004
【図２】
2020534886.tif 000005
【図３】
2020534886.tif 000006
【図４】
2020534886.tif 000007
【図５】
2020534886.tif 000008
【図６Ａ】
2020534886.tif 000009
【図６Ｂ】
2020534886.tif 000010
【図７】
2020534886.tif 000011
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
システムであって、
ユーザに着用されるようにサイズ調整及び採寸された衣料品と、
前記衣料品と一体化されるセンサシステムと、
を含み、前記センサシステムは、
前記衣料品が着用されるときに、前記ユーザのバイオメトリックパラメータを測定するように、前記衣料品上に配置される少なくとも１つの伸縮性容量センサと、
前記ユーザの前記測定されたバイオメトリックパラメータに基づいて、特定の照明エリアに照明を提供するように構成される照明システムであって、前記特定の照明エリアは、前記測定されたバイオメトリックパラメータに基づいて決定される、前記システムの外部にある投影エリアである、照明システムと、
前記照明システムの１つ以上の設定を制御する制御モジュールと、
を含むシステム。
【請求項２】
前記少なくとも１つの伸縮性容量センサは、前記ユーザに前記衣料品が着用されるときに右三角筋に近接して配置される１つ以上のセンサと、前記ユーザに前記衣料品が着用されるときに左三角筋に近接して配置される１つ以上のセンサと、を含み、前記少なくとも１つの伸縮性容量センサは、前記ユーザの腕の振りを感知して前記ユーザのペースを感知するように構成される、
請求項１に記載のシステム。
【請求項３】
前記少なくとも１つの伸縮性容量センサは、前記ユーザに前記衣料品が着用されるときに右脚の少なくとも一部分に近接して配置される１つ以上のセンサと、前記ユーザに前記衣料品が着用されるときに左脚に近接して配置される１つ以上のセンサと、を含み、前記少なくとも１つの伸縮性容量センサは、前記ユーザの脚の振りを感知して前記ユーザのペースを決定するように構成される、
請求項１に記載のシステム。
【請求項４】
前記照明システムは、前記ユーザの前記測定されたバイオメトリックパラメータに基づいて設定された脈動周波数を用いてパルス照明を提供するように構成される、
請求項１に記載のシステム。
【請求項５】
前記センサシステムは、前記照明システムの１つ以上の設定を指定する前記ユーザからの入力を受け取るように構成される時間／強度センサを含む、
請求項１に記載のシステム。
【請求項６】
前記センサシステムは、前記センサシステムの１つ以上の作動モードを指定する前記ユーザからの入力を受け取るように構成されるモードセンサを含む、
請求項１に記載のシステム。
【請求項７】
前記モードセンサは、連続モード構成要素及びペースモード構成要素を含み、各々がそれぞれの入力部を有する、
請求項６に記載のシステム。
【請求項８】
前記照明システムは、複数のＬＥＤモジュールを含む、
請求項１に記載のシステム。
【請求項９】
前記制御モジュールは、前記照明システムの強度を調整するための強度変更器と、前記照明システムの脈動周波数を調整するための周波数変更器と、を含む、
請求項１に記載のシステム。
【請求項１０】
前記制御モジュールは、前記センサシステムから切り離し可能であり、かつ前記衣料品から取外し可能であるように構成される、
請求項１に記載のシステム。
【請求項１１】
前記制御モジュールは、その中に電子部品を収納する密閉式外側シェルを含む、
請求項１に記載のシステム。
【請求項１２】
前記照明システムは、選択された作動モードに基づいて、目標とする制御可能な照明エリアを提供するように構成される、
請求項１に記載のシステム。
【請求項１３】
前記照明システムは、前記特定の照明エリアを調整するために移動可能である、
請求項１に記載のシステム。
【請求項１４】
前記少なくとも１つの伸縮性容量センサは、前記ユーザのバイオメトリック動作のタイプに基づいて歪みを検出するように構成される、
請求項１に記載のシステム。
【請求項１５】
前記照明システムは、前記ユーザの感知された経路に従って前記特定の照明エリアに照明を提供するように構成され、前記感知された経路は、前記ユーザの前記測定されたバイオメトリックパラメータに基づいて決定される、
請求項１に記載のシステム。
【国際調査報告】
2020534886.tif 000012
2020534886.tif 000013